(57)【要約】【課題】ユーザを効果的に目覚めさせることができる発光制御装置を提供する。【解決手段】発光制御装置４０は、発光部５０を制御する発光制御部４１であって、ユーザの指示に応じた色温度及び明るさの光を発光部５０に出力させる通常制御、及び、寝ているユーザを起こすために発光部５０から出力される光を時間の経過とともに明るくする目覚まし制御を行う発光制御部４１を備える。目覚まし制御において発光部５０が出力する光の最大の明るさは、通常制御において発光部５０が出力する光の最大の明るさよりも明るい。【選択図】図２
2018147598.tif 000002
【特許請求の範囲】
【請求項１】
発光部を制御する発光制御部であって、ユーザの指示に応じた色温度及び明るさの光を前記発光部に出力させる通常制御、及び、寝ている前記ユーザを起こすために前記発光部から出力される光を時間の経過とともに明るくする目覚まし制御を行う発光制御部を備え、
前記目覚まし制御において前記発光部が出力する光の最大の明るさは、前記通常制御において前記発光部が出力する光の最大の明るさよりも明るい
発光制御装置。
【請求項２】
前記発光部は、第一光源部、及び、前記第一光源部よりも高い色温度の光を発する第二光源部を含み、
前記発光制御部は、前記目覚まし制御において、前記第二光源部を前記第一光源部よりも明るく発光させることにより、前記通常制御において前記発光部が出力する光の最大の明るさよりも明るい光を前記発光部に出力させる
請求項１に記載の発光制御装置。
【請求項３】
前記発光制御部は、前記目覚まし制御において、前記第一光源部及び前記第二光源部のうち前記第二光源部のみを発光させることにより、前記通常制御において前記発光部が出力する光の最大の明るさよりも明るい光を前記発光部に出力させる
請求項２に記載の発光制御装置。
【請求項４】
前記第一光源部が発する光の色温度は、３０００Ｋ以下であり、
前記第二光源部が発する光の色温度は、５０００Ｋ以上である
請求項２または３に記載の発光制御装置。
【請求項５】
前記発光制御部は、前記目覚まし制御において、所定の増光パターンにしたがって前記発光部から出力される光を時間の経過とともに明るくしているときに、前記所定の増光パターンよりも急峻に前記発光部から出力される光を明るくするブースト制御をさらに行う
請求項１〜４のいずれか１項に記載の発光制御装置。
【請求項６】
さらに、前記ユーザの睡眠状態を判定する判定部を備え、
前記発光制御部は、前記ユーザがレム睡眠状態以外の状態であると判定された時刻に前記ブースト制御を開始する
請求項５に記載の発光制御装置。
【請求項７】
前記発光制御部は、前記ユーザが覚醒状態、入眠状態、及び軽睡眠状態のいずれかの状態であると判定された時刻に前記ブースト制御を開始する
請求項６に記載の発光制御装置。
【請求項８】
さらに、前記ユーザの睡眠周期を予測する予測部を備え、
前記発光制御部は、前記予測部によって予測された、前記ユーザの起床予定時刻を終点とする一睡眠周期に属する時刻に前記ブースト制御を開始する
請求項５に記載の発光制御装置。
【請求項９】
さらに、前記ユーザの睡眠状態を判定する判定部を備え、
前記発光制御部は、前記予測部によって予測された前記一睡眠周期に属する時刻であって、前記ユーザがレム睡眠状態とレム睡眠状態よりも深い睡眠状態との境界状態であると判定された時刻に前記ブースト制御を開始する
請求項８に記載の発光制御装置。
【請求項１０】
さらに、前記ユーザの睡眠状態を判定する判定部を備え、
前記発光制御部は、前記予測部によって予測された前記一睡眠周期に属する時刻であって、前記一睡眠周期内において睡眠状態が浅くなっていく期間に属すると判定された時刻に前記ブースト制御を開始する
請求項８に記載の発光制御装置。
【請求項１１】
請求項１〜１０のいずれか１項に記載の発光制御装置と、
前記発光制御装置を収容する筐体とを備える
電子機器。
【請求項１２】
前記電子機器は、前記発光部をさらに備える照明器具である
請求項１１に記載の電子機器。
【発明の詳細な説明】
【技術分野】
【０００１】
本発明は、寝ているユーザを起こすための発光制御（目覚まし制御）が可能な発光制御装置、及び、これを備える電子機器に関する。
【背景技術】
【０００２】
従来、ＬＥＤ（Ｌｉｇｈｔ  Ｅｍｉｔｔｉｎｇ  Ｄｉｏｄｅ）などの発光素子を用いた照明装置（照明器具）が様々な用途で使用されている。例えば、特許文献１には、寝ているユーザに光を照射して目覚めを支援する照明装置が開示されている。
【先行技術文献】
【特許文献】
【０００３】
【特許文献１】特開２０１１−９２２７１号公報
【発明の概要】
【発明が解決しようとする課題】
【０００４】
ところで、上記のように人の目覚めを支援するための照明装置は、ユーザを効果的に目覚めさせる機能が求められる。
【０００５】
本発明は、ユーザを効果的に目覚めさせることができる発光制御装置及び電子機器を提供する。
【課題を解決するための手段】
【０００６】
本発明の一態様に係る発光制御装置は、発光部を制御する発光制御部であって、ユーザの指示に応じた色温度及び明るさの光を前記発光部に出力させる通常制御、及び、寝ている前記ユーザを起こすために前記発光部から出力される光を時間の経過とともに明るくする目覚まし制御を行う発光制御部を備え、前記目覚まし制御において前記発光部が出力する光の最大の明るさは、前記通常制御において前記発光部が出力する光の最大の明るさよりも明るい。
【０００７】
本発明の一態様に係る電子機器は、前記発光制御装置と、前記発光制御装置を収容する筐体とを備える。
【発明の効果】
【０００８】
本発明の発光制御装置及び電子機器は、通常制御において発光部の明るさ及び色温度を安定させ、かつ、目覚まし制御においてユーザを効果的に目覚めさせることができる。
【図面の簡単な説明】
【０００９】
【図１】図１は、実施の形態１に係る照明システムの概要を示す図である。
【図２】図２は、実施の形態１に係る照明システムの機能構成を示すブロック図である。
【図３】図３は、実施の形態１に係る通常制御のフローチャートである。
【図４】図４は、通常モードにおいてユーザが指示可能な、発光部の明るさ及び色温度の範囲を示す図である。
【図５】図５は、実施の形態１に係る目覚まし制御のフローチャートである。
【図６】図６は、実施の形態１に係る目覚まし制御における発光部の明るさを示す図である。
【図７】図７は、通常モードにおいてユーザが指示可能な、発光部の明るさ及び色温度の範囲の別の例を示す図である。
【図８】図８は、実施の形態２に係る照明システムの機能構成を示すブロック図である。
【図９】図９は、睡眠状態の判定基準の一例を示す図である。
【図１０】図１０は、実施の形態２に係る目覚まし制御の第１例のフローチャートである。
【図１１】図１１は、実施の形態２に係る目覚まし制御の第１例における、睡眠状態と発光部の明るさとを示す図である。
【図１２】図１２は、実施の形態２に係る目覚まし制御の第２例のフローチャートである。
【図１３】図１３は、実施の形態２に係る目覚まし制御の第２例における、睡眠状態と発光部の明るさとを示す図である。
【図１４】図１４は、実施の形態３に係る照明システムの機能構成を示すブロック図である。
【図１５】図１５は、実施の形態３に係る目覚まし制御の第１例のフローチャートである。
【図１６】図１６は、実施の形態３に係る目覚まし制御の第１例における、睡眠状態と発光部の明るさとを示す図である。
【図１７】図１７は、実施の形態３に係る目覚まし制御の第２例のフローチャートである。
【図１８】図１８は、実施の形態３に係る目覚まし制御の第２例における、睡眠状態と発光部の明るさとを示す図である。
【発明を実施するための形態】
【００１０】
以下、実施の形態について図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態１）
［全体構成］
実施の形態１に係る照明システムの構成について説明する。図１は、実施の形態１に係る照明システムの概要を示す図である。図２は、実施の形態１に係る照明システムの機能構成を示すブロック図である。
【００１３】
図１及び図２に示されるように、実施の形態１に係る照明システム１００は、リモートコントローラ１０と、照明器具２０とを備える。照明システム１００において、ユーザは、リモートコントローラ１０を操作することにより、照明器具２０を通常モードで動作させるか、目覚ましモードで動作させるかを切り替える（選択する）ことができる。ここで、通常モードは、照明器具２０がユーザの指示に応じた色温度及び明るさの光で発光するモードである。目覚ましモードは、寝ているユーザを起こすために照明器具２０が時間の経過とともに徐々に明るく発光するモードである。
【００１４】
［リモートコントローラ］
リモートコントローラ１０は、照明システム１００においてユーザの操作を受け付ける操作受付部として機能する装置である。例えば、ユーザは、リモートコントローラ１０を操作することによって、上記通常モードにおける照明器具２０の色温度及び明るさを照明器具２０に指示することができる。また、ユーザは、リモートコントローラ１０を操作することによって、上記目覚ましモードにおける起床時刻（ユーザが目覚めることを希望する時刻）を照明器具２０に指示することができる。
【００１５】
リモートコントローラ１０は、具体的には、ユーザの操作を受け付けるハードウェアボタンを操作部として有する、照明器具２０に対応した専用のコントローラである。リモートコントローラ１０は、専用のコントローラに限定されず、スマートフォンまたはタブレット端末などの情報端末（携帯端末）であってもよいし、その他の装置であってもよい。
【００１６】
［照明器具］
照明器具２０は、天井に取り付けられて、室内を照明するシーリングライトである。図１に示されるように、照明器具２０は、平面視形状が円形のシーリングライトであり、平面視形状が円形の基台２１と、円形ドーム状のグローブ２２とを備える。照明器具２０は、平面視形状が円形のシーリングライトに限定されず、長尺状のシーリングライトであってもよいし、ダウンライトまたはスポットライトなどであってもよい。
【００１７】
照明器具２０は、調光（明るさの調整）及び調色（色温度の調整）に対応した照明器具であり、照明器具２０が出力する白色光は、明るさ及び色温度が調整可能である。図２に示されるように、照明器具２０は、具体的には、通信部３０と、発光制御装置４０と、発光部５０とを備える。これらの構成要素は、基台２１と及びグローブ２２によって構成される照明器具２０の外郭筐体（筐体）に収容されている。
【００１８】
［照明器具：通信部］
まず、通信部３０について説明する。通信部３０は、取得部の一例であって、リモートコントローラ１０から送信される指示（指示信号）を無線通信によって受信（取得）する。リモートコントローラ１０と通信部３０との間の通信は、例えば、赤外線通信であり、この場合、通信部３０は、赤外線の受光装置である。
【００１９】
なお、リモートコントローラ１０と通信部３０との間の無線通信は、赤外線通信のような光通信に限定されない。リモートコントローラ１０と通信部３０との間の無線通信は、例えば、Ｗｉ−Ｆｉ（登録商標）、Ｚｉｇｂｅｅ（登録商標）、またはＢｌｕｔｏｏｔｈ（登録商標）などの通信規格を用いた電波通信であってもよい。この場合、通信部３０は、電波通信用の無線通信モジュール（無線通信回路）である。また、リモートコントローラ１０と通信部３０との間の通信は、有線通信であってもよい。この場合、通信部３０は、有線通信用の有線通信モジュール（有線通信回路）である。
【００２０】
［照明器具：発光制御装置］
次に、発光制御装置４０について説明する。発光制御装置４０は、発光制御部４１と、調光回路４２と、計時部４３と、記憶部４４とを備える。
【００２１】
発光制御部４１は、通信部３０によって取得された指示信号に基づいて調光回路４２に制御信号を出力することにより、発光部５０の発光を制御する。発光制御部４１は、具体的には、ＰＷＭ（Ｐｕｌｓｅ  Ｗｉｄｔｈ  Ｍｏｄｕｌａｔｉｏｎ）信号等の制御信号を調光回路４２に出力する。発光制御部４１は、具体的には、マイクロコンピュータであるが、プロセッサまたは専用回路として実現されてもよい。発光制御部４１は、マイクロコンピュータ、プロセッサ、及び専用回路のうち２つ以上の組み合わせによって実現されてもよい。
【００２２】
なお、発光制御部４１は、第一光源部５１及び第二光源部５２を独立して発光制御することができる。発光制御部４１は、第一光源部５１を発光制御するための第一制御信号、及び、第二光源部５２を発光制御するための第二制御信号を出力する。
【００２３】
また、発光制御部４１は、照明器具２０を上述の通常モードで動作させるための通常制御、及び、照明器具２０を目覚ましモードで動作させるための目覚まし制御を行う。通常制御及び目覚まし制御は、例えば、選択的に実行される。通常制御及び目覚まし制御の詳細については後述される。
【００２４】
調光回路４２は、発光制御部４１から出力される制御信号に応じて発光部５０に電力を供給する回路である。調光回路４２は、例えば、チョッパ制御回路である。発光制御部４１は、調光回路４２（チョッパ制御回路）に含まれるスイッチング素子を制御信号によってスイッチングすることによって発光部５０に供給する電流を変化させる。
【００２５】
調光回路４２は、より具体的には、発光制御部４１から出力される第一制御信号に応じて第一光源部５１に電流を供給し、発光制御部４１から出力される第二制御信号に応じて第二光源部５２に電流を供給する。第一光源部５１に供給される電流と第二光源部５２に供給される電流とが、電流比一定のまま変更されることで、発光部５０は、同じ色温度のまま明るさが調整される。つまり、発光部５０は調光される。また、第一光源部５１に供給される電流と第二光源部５２に供給される電流との比が変更されれば、発光部５０の色温度が調整される。つまり、発光部５０は調色される。
【００２６】
計時部４３は、現在時刻を計測する計時装置であり、計測した時刻を発光制御部４１に通知する。計時部４３は、上述の目覚ましモードにおいて用いられる。計時部４３は、具体的には、リアルタイムクロックＩＣなどであるが、どのような態様であってもよい。
【００２７】
記憶部４４は、発光制御部４１が実行する制御プログラム等が記憶される記憶装置である。記憶部４４には、発光部を調光（調色）するために、指示信号の指示値と制御信号のデューティ比とが対応付けられた調光テーブル情報（調色テーブル情報）、及び、目覚まし制御に用いられる増光パターン情報（経過時間と制御信号のデューティ比とが対応付けられた情報）なども記憶される。記憶部４４は、具体的には、半導体メモリなどによって実現される。なお、発光制御部４１がマイクロコンピュータとして実現される場合、記憶部４４は、発光制御部４１に内蔵されてもよい。
【００２８】
［照明器具：発光部］
次に、発光部５０について説明する。発光部５０は、照明器具２０の光源として機能する発光モジュールである。発光部５０は、例えば、基板上に実装された青色ＬＥＤチップが蛍光体を含有する透光性樹脂材料によって封止されていることにより白色光を出力するＣＯＢ（Ｃｈｉｐ  Ｏｎ  Ｂｏａｒｄ）型の発光モジュールである。発光部５０は、基板上に白色光を出力するＳＭＤ（Ｓｕｒｆａｃｅ  Ｍｏｕｎｔ  Ｄｅｖｉｃｅ）構造のＬＥＤ素子が実装されたＳＭＤ型の発光モジュールであってもよい。
【００２９】
発光部５０は、色温度が互いに異なる２種類の光源部である第一光源部５１および第二光源部５２を含む。発光部５０において、第一光源部５１および第二光源部５２それぞれの明るさのバランスが変更されることで、発光部５０から放出される光の色温度が変更される。
【００３０】
発光部５０がＣＯＢ型の発光モジュールである場合、例えば、第一光源部５１は、１つ以上の青色ＬＥＤチップが第一透光性樹脂材料で封止された構成であり、第二光源部５２は、１つ以上の青色ＬＥＤチップが第二透光性樹脂材料で封止された構成である。この場合、第一透光性樹脂材料及び第二透光性樹脂材料は、いずれも黄色蛍光体及び赤色蛍光体を含有するが、含有率が互いに異なる。そうすると、色温度が互いに異なる第一光源部５１及び第二光源部５２が実現される。
【００３１】
発光部５０がＳＭＤ型の発光モジュールである場合、第一光源部５１は、１以上のＳＭＤ型の第一ＬＥＤ素子からなり、第二光源部５２は、１以上のＳＭＤ型の第二ＬＥＤ素子からなる。第一ＬＥＤ素子及び第二ＬＥＤ素子の色温度が互いに異なれば、色温度が互いに異なる第一光源部５１及び第二光源部５２が実現される。
【００３２】
第二光源部５２は、第一光源部５１よりも高い色温度の光を発する。例えば、第一光源部５１が発する光の色温度は、３０００Ｋ以下であり、第二光源部５２が発する光の色温度は、５０００Ｋ以上である。以下の実施の形態では、第一光源部５１が発する光の色温度は第一色温度と記載され、第二光源部５２が発する光の色温度は第二色温度と記載される。
【００３３】
［通常モード（通常制御）］
次に、照明器具２０を通常モードで動作させるための通常制御について説明する。図３は、通常制御のフローチャートである。
【００３４】
まず、通信部３０は、リモートコントローラ１０からユーザの指示を取得する（Ｓ１１）。次に、発光制御部４１は、取得された指示に応じた色温度及び明るさで発光部５０を発光させる（Ｓ１２）。発光制御部４１は、具体的には、指示信号の指示値と、記憶部４４に記憶された調光テーブル（調色テーブル）とに応じて制御信号のデューティ比を特定し、特定したデューティ比の制御信号（第一制御信号及び第二制御信号）を調光回路４２に出力する。これにより、発光部５０がユーザの指示に応じた色温度及び明るさで発光する。
【００３５】
ところで、通常モードにおいてユーザが指示可能な発光部の明るさ及び色温度の範囲は、図４のようになる。図４は、通常モードにおいてユーザが指示可能な、発光部５０の明るさ及び色温度の範囲を示す図である。図４の横軸は色温度を示し、図４の縦軸は明るさを示している。
【００３６】
図４に示されるように、通常モードにおいてユーザは、範囲Ａ内で発光部５０の明るさ及び色温度を指示することができる。範囲Ａは、具体的には、明るさが０以上Ｌ１以下であって、色温度が第一色温度以上第二色温度以下の範囲である。なお、第一色温度は、第一光源部５１及び第二光源部５２のうち第一光源部５１のみが発光することにより実現され、第二色温度は、第一光源部５１及び第二光源部５２のうち第二光源部５２のみが発光することにより実現される。
【００３７】
発光部５０は、実際には、明るさＬ１よりも明るく発光する能力を有している。具体的には、図４の範囲Ｂ内の明るさ及び色温度で発光する能力を有している。範囲Ｂ内の最大の明るさは、明るさＬ３である。しかしながら、範囲Ｂの形状からわかるように、発光部５０は、第一色温度から第二色温度までの任意の色温度の光を、明るさＬ３まで明るくして出力することはできない。
【００３８】
例えば、範囲Ｂの中でも、光の色温度が第一色温度に近くなると、当該光の最大の明るさは暗くなる。第一色温度の光は、明るさＬ１よりも明るくならない。同様に、光の色温度が第二色温度に近くなると、当該光の最大の明るさは暗くなる。第二色温度の光は、明るさＬ２よりも明るくならない。発光部５０は、特定の色温度の光であれば、明るさＬ３まで明るくして出力可能である。
【００３９】
そこで、任意の色温度の光の最大の明るさを均一化するため、照明システム１００は、範囲Ｂ内の明るさ及び色温度がユーザによって指示できない（リモートコントローラ１０によっては指示できない）ように構成されている。
【００４０】
［目覚ましモード（目覚まし制御）］
次に、照明器具２０を目覚ましモードで動作させるための目覚まし制御について説明する。図５は、目覚まし制御のフローチャートである。
【００４１】
まず、通信部３０は、リモートコントローラ１０からユーザの起床予定時刻の指示を取得する（Ｓ２１）。次に、発光制御部４１は、計時部４３から通知される現在時刻をモニタすることにより、現在時刻が起床予定時刻の所定期間前の時刻である開始時刻であるか否かを判定する（Ｓ２２）。この判定は、例えば、現在時刻が開始時刻になるまで継続される（Ｓ２２でＮｏ）。所定期間は、例えば、１時間であるが、特に限定されない。また、ステップＳ２１において、通信部３０は、リモートコントローラ１０から所定期間の長さの指示を取得してもよい。つまり、所定期間の長さ（目覚まし制御の開始時刻）は、ユーザによって指示されてもよい。
【００４２】
発光制御部４１は、現在時刻が開始時刻になったと判定した場合（Ｓ２２でＹｅｓ）、目覚まし制御を開始する。具体的には、発光制御部４１は、所定の増光パターンにしたがって（所定の増光パターンに沿って）発光部５０を時間の経過とともに徐々に明るくする（Ｓ２３）。図６は、目覚まし制御における発光部５０の明るさを示す図である。
【００４３】
図６に示されるように、発光制御部４１は、現在時刻が開始時刻ｔ１になると、開始時刻ｔ１から起床予定時刻ｔ２にかけて発光部５０の明るさを徐々に明るくする。目覚まし制御は、寝ているユーザを起こすための制御であるため、発光部５０の最大の明るさは、明るいほうがよい。一方で、目覚まし制御は、ユーザが寝ているときに行われるため、通常制御のように、任意の色温度の光の最大の明るさが均一化される必要性は低い。
【００４４】
そこで、発光制御部４１は、目覚まし制御の終盤（図６の時刻ｔ３以降起床予定時刻ｔ２までの期間）においては、通常制御において禁止されていた図４の範囲Ｂ内の明るさ及び色温度を解禁し、発光部５０を明るさＬ１以上の明るさ（範囲Ｂ内の明るさ及び色温度）で発光させる。
【００４５】
このように、目覚まし制御において発光部５０が出力する光の最大の明るさは、通常制御において発光部５０が出力する光の最大の明るさよりも明るい。これにより、照明器具２０（照明システム１００）は、通常制御よりも明るい光が出力される目覚まし制御によってユーザを効果的に目覚めさせることができる。
【００４６】
なお、目覚まし制御における発光部５０が出力する光の色温度は、特に限定されず、目覚まし制御においては、発光部５０の明るさが徐々に明るくなればよい。発光部５０は、例えば、開始時刻ｔ１から起床予定時刻ｔ２まで単一の色温度の光を出力するが、開始時刻ｔ１以降時刻ｔ３までの期間において出力される光の色温度と、時刻ｔ３以降起床予定時刻ｔ２までの期間において出力される光の色温度とが異なってもよい。
【００４７】
発光制御部４１は、例えば、開始時刻ｔ１から時刻ｔ３までの期間は、第一光源部５１及び第二光源部５２の両方を発光させ、時刻ｔ３から起床予定時刻ｔ２までの期間は、第二光源部５２のみを発光させる。つまり、発光制御部４１は、例えば、通常制御では禁止されている明るさ（明るさＬ１よりも明るく、明るさＬ３（図４に図示）以下の明るさ）を、第一光源部５１及び第二光源部５２のうち第二光源部５２のみを発光させることにより実現する。なお、発光制御部４１は、通常制御では禁止されている明るさを、第二光源部５２を第一光源部５１よりも明るく発光させることにより実現してもよい。
【００４８】
時刻ｔ３から起床予定時刻ｔ２までの期間に、第二光源部５２のみが発光する場合、目覚まし制御において発光部５０が出力する光の最大の明るさは、明るさＬ１よりも明るく、かつ、明るさＬ３（図４に図示）よりも暗い明るさＬ２となる。
【００４９】
なお、目覚まし制御において発光部５０が出力する光の最大の明るさは、明るさＬ３であってもよく、この場合に発光部５０が出力する光の色温度は、図４において、明るさＬ３まで明るくすることができる特定の色温度となる。
【００５０】
一般に、ヒトは、高色温度の光（青色光に近い光）を浴びると、メラトニンの分泌が抑制され、眠気が覚めることが知られている。したがって、目覚まし制御の終盤において、発光部５０が比較的高い第二色温度で発光すれば、ユーザを快適に目覚めさせることができる。
【００５１】
［変形例］
上記実施の形態では、通常モードにおいて、ユーザは、図４の範囲Ａ内で発光部５０の明るさ及び色温度を指示することができたが、通常モードにおいてユーザが指示することができる発光部５０の明るさ及び色温度は、範囲Ａに限定されない。例えば、通常モードにおいては、ユーザが図７に示される範囲Ｃ内での明るさ及び色温度を指示できる仕様であってもよい。図７は、通常モードにおいてユーザが指示可能な、発光部５０の明るさ及び色温度の範囲の別の例を示す図である。
【００５２】
図７に示される範囲Ｃは、色温度が第一色温度以上第三色温度以下の範囲である。範囲Ｃにおいては、色温度が高くなるほど最大の明るさが線形に増大する。第三色温度は、第二色温度よりも低い色温度であり、例えば、６２００Ｋである。第一色温度における最大の明るさは、明るさＬ１であり、第三色温度における最大の明るさは、明るさＬ４である。明るさＬ４は、明るさＬ３よりも暗く、明るさＬ２よりも明るい。
【００５３】
通常モードにおいてユーザが指示可能な発光部５０の明るさ及び色温度が範囲Ｃの場合も、目覚まし制御において発光部５０が出力する光の最大の明るさは、通常制御において発光部５０が出力する光の最大の明るさよりも明るくなればよい。発光制御部４１は、具体的には、目覚まし制御の終盤において、発光部５０を明るさＬ４以上の明るさ（例えば、明るさＬ３）で発光させればよい。これにより、照明システム１００は、ユーザを効果的に目覚めさせることができる。
【００５４】
なお、目覚まし制御において発光部５０が出力する光の最大の明るさが、通常制御において発光部５０が出力する光の最大の明るさよりも明るい場合、目覚まし制御における消費電力が通常制御よりも増大する。そこで、目覚まし制御において発光部５０が最大の明るさで発光する時間が制限されてもよい。
【００５５】
発光制御部４１は、例えば、計時部４３を用いて発光部５０が最大の明るさで発光する時間を制限してもよい。また、例えば、発光制御装置４０ａは、温度センサをさらに備え、発光部５０が最大の明るさで発光しているときに発光部５０の温度が所定温度に到達すると、発光部５０を暗くしてもよい。
【００５６】
［効果等］
以上説明したように、照明システム１００（照明器具２０）において、発光制御装置４０は、発光部５０を制御する発光制御部４１であって、ユーザの指示に応じた色温度及び明るさの光を発光部５０に出力させる通常制御、及び、寝ているユーザを起こすために発光部５０から出力される光を時間の経過とともに明るくする目覚まし制御を行う発光制御部４１を備える。目覚まし制御において発光部５０が出力する光の最大の明るさは、通常制御において発光部５０が出力する光の最大の明るさよりも明るい。
【００５７】
これにより、発光制御部４１（照明システム１００）は、通常制御よりも明るい光が出力される目覚まし制御によってユーザを効果的に目覚めさせることができる。
【００５８】
また、発光部５０は、第一光源部５１、及び、第一光源部５１よりも高い色温度の光を発する第二光源部５２を含んでもよい。発光制御部４１は、目覚まし制御において、第二光源部５２を第一光源部５１よりも明るく発光させることにより、通常制御において発光部５０が出力する光の最大の明るさよりも明るい光を発光部５０に出力させてもよい。
【００５９】
これにより、通常制御よりも発光部５０が明るい光を出力する目覚まし制御の終盤において、発光部５０が比較的目覚ましに適した第二色温度に近い色温度で発光するため、発光制御部４１は、ユーザを快適に目覚めさせることができる。
【００６０】
発光制御部４１は、目覚まし制御において、第一光源部５１及び第二光源部５２のうち第二光源部５２のみを発光させることにより、通常制御において発光部５０が出力する光の最大の明るさよりも明るい光を発光部５０に出力させてもよい。
【００６１】
これにより、通常制御よりも発光部５０が明るい光を出力する目覚まし制御の終盤において、発光部５０が比較的目覚ましに適した第二色温度で発光するため、発光制御部４１は、ユーザを快適に目覚めさせることができる。
【００６２】
また、第一光源部５１が発する光の色温度は、３０００Ｋ以下であり、第二光源部５２が発する光の色温度は、５０００Ｋ以上であってもよい。
【００６３】
これにより、発光部５０は、メラトニンの分泌の抑制を妨げる効果を有する、睡眠に適した３０００Ｋ以下の第一色温度の光と、メラトニンの分泌を抑制する効果を有する、目覚ましに適した５０００Ｋ以上の第二色温度の光とを出力することができる。
【００６４】
また、本発明は、発光制御装置４０と、発光制御装置４０を収容する筐体とを備える電子機器として実現されてもよい。電子機器は、具体的には、例えば、発光部５０をさらに備える照明器具２０である。なお、この場合、筐体は、基台２１及びグローブ２２によって構成される。
【００６５】
このような電子機器（照明器具２０）は、発光制御装置４０と同様の効果を奏する。なお、本発明は、照明器具２０以外の電子機器として実現されてもよい。このような電子機器は、例えば、発光部５０に対して発光制御部４１のような制御を実質的に行うことができる発光制御部を備えるリモートコントローラ１０である。また、このような電子機器には、専用のアプリケーションがインストールされることにより発光部５０に対して発光制御部４１のような制御を実質的に行うことができる発光制御部を備えるスマートフォンまたはタブレット端末などの情報端末であってもよい。また、本発明は、照明機能を有するその他の電子機器として実現されてもよい。
【００６６】
（実施の形態２）
［全体構成］
上記目覚まし制御においては、明るさを通常よりも急激に明るくするブースト制御を行ってもよい。この場合、ブースト制御の開始タイミングは、ユーザの睡眠状態に応じて決定されてもよい。
【００６７】
以下、このようなブースト制御が可能な実施の形態２に係る照明システムの構成について説明する。図８は、実施の形態２に係る照明システムの機能構成を示すブロック図である。なお、以下の実施の形態２の説明では、実施の形態１との相違点を中心に説明が行われ、実施の形態１で既に説明された事項については説明が省略または簡略化される。
【００６８】
図８に示されるように、実施の形態２に係る照明システム１００ａは、リモートコントローラ１０及び照明器具２０ａに加えて、ユーザ状態計測装置６０を備える。
【００６９】
［ユーザ状態計測装置］
ユーザ状態計測装置６０は、ユーザの状態を直接的または間接的に計測する装置である。ユーザ状態計測装置６０は、例えば、加速度センサまたはジャイロセンサなどを有する活動量センサであって、ユーザの手首などに装着され、ユーザの活動量を、ユーザの状態を示す情報（ユーザ状態情報）として計測する。ユーザ状態計測装置６０が計測した活動量は、例えば、無線通信により通信部３０に送信されるが、有線通信により通信部３０に送信されてもよい。
【００７０】
なお、ユーザ状態計測装置６０は、脳波センサ、眼球運動を計測する眼電位センサ、筋電活動を計測する筋電位センサ、血圧センサ、呼吸センサ、心拍センサ、または、脈拍センサなどであってもよい。
【００７１】
なお、ユーザ状態計測装置６０は、基本的には、ユーザに取り付けられる（装着される）接触型のセンサであるが、ユーザに対して非接触でセンシングを行う非接触型のセンサであってもよい。例えば、呼吸数、脈拍数、心拍数、及び体動量は、ユーザに向けて電波を送信する電波センサによっても取得可能である。つまり、ユーザ状態計測装置６０は、電波センサであってもよい。
【００７２】
［照明器具：判定部］
照明器具２０ａが備える発光制御装置４０ａは、判定部４５を有する点が発光制御装置４０と異なる。
【００７３】
判定部４５は、通信部３０によって取得されたユーザ状態情報に基づいて、ユーザの睡眠状態（睡眠深度）をリアルタイムに判定する。ユーザ状態情報が活動量である場合、判定部４５は、活動量が多いほど、浅い眠りであると判定し、活動量が少ないほど、深い眠りであると判定する。図９は、睡眠状態の判定基準の一例を示す図である。
【００７４】
図９に示されるように、判定部４５は、例えば、ユーザの睡眠状態が、覚醒期（ステージＷａｋｅ）、レム睡眠期、入眠期（ステージ１）、軽睡眠期（ステージ２）、中等度睡眠期（ステージ３）、及び、深睡眠期（ステージ４）の６段階の何れの状態であるかを、取得された活動量と所定の閾値とを比較することにより判定することができる。判定部４５は、ユーザ状態情報が脳波、眼球運動、筋電活動、血圧、呼吸数、心拍数、または脈拍数である場合も、図９に示されるような判断基準にしたがって睡眠状態を判定することができる。
【００７５】
後述のように、発光制御部４１は、具体的には、ユーザの睡眠状態がレム睡眠状態（レム睡眠期に属する状態）以外の状態となったときに、ブースト制御を開始する。このため、判定部４５は、具体的には、ユーザがレム睡眠状態であるか否かを判定する。
【００７６】
判定部４５は、具体的には、マイクロコンピュータであるが、プロセッサまたは専用回路として実現されてもよい。判定部４５は、マイクロコンピュータ、プロセッサ、及び専用回路のうち２つ以上の組み合わせによって実現されてもよい。
【００７７】
なお、上記６段階の睡眠状態（睡眠ステージ）は、ＰＳＧ（ＰｏｌｙＳｏｍｎｏＧｒａｐｈｙ）を用いた睡眠ステージ判定法に基づいて定められている。例えば、脳波に基づく睡眠ステージの判定には、ＲｅｆｔＳｈａｆｆｅｎ  ａｎｄ  Ｋａｌｅｓの国際１０−２０法が用いられる。
【００７８】
［実施の形態２に係る目覚まし制御の第１例］
次に、実施の形態２に係る目覚まし制御（ブースト制御が含まれる目覚まし制御）の第１例について説明する。図１０は、実施の形態２に係る目覚まし制御の第１例のフローチャートである。
【００７９】
実施の形態１と同様に、通信部３０は、リモートコントローラ１０からユーザの起床予定時刻ｔ２の指示を取得し（Ｓ２１）、発光制御部４１は、現在時刻が開始時刻ｔ１であるか否かを判定する（Ｓ２２）。この判定は、例えば、現在時刻が開始時刻ｔ１になるまで継続される（Ｓ２２でＮｏ）。
【００８０】
発光制御部４１は、現在時刻が開始時刻ｔ１になったと判定した場合（Ｓ２２でＹｅｓ）、目覚まし制御を開始する。具体的には、発光制御部４１は、所定の増光パターンにしたがって発光部５０を徐々に明るくする（Ｓ２３）。
【００８１】
目覚まし制御が開始されると、発光制御部４１は、判定部４５によって判定された睡眠状態に応じてブースト制御を開始する。図１１は、実施の形態２に係る目覚まし制御の第１例における、睡眠状態（図１１の（ａ））と発光部５０の明るさ（図１１の（ｂ））とを示す図である。なお、図１１の（ａ）におけるＷは、覚醒状態（覚醒期に属する状態）、ＲＥＭはレム睡眠状態を意味する。Ｌ／Ｓは、入眠状態及び軽睡眠状態（入眠期及び軽睡眠期に属する状態）、Ｄ／Ｓは、中等度睡眠状態及び深睡眠状態（中等度睡眠期及び深睡眠期に属する状態）をそれぞれ意味する。
【００８２】
ブースト制御は、ユーザを確実に起床予定時刻ｔ２に目覚めさせるために、目覚まし制御の終盤、つまり、起床予定時刻ｔ２の直近の所定期間に行われる。この所定期間は、言い換えれば、ブースト制御対象期間であり、図１１では、時刻ｔ４から起床予定時刻ｔ２までの期間である。
【００８３】
そこで、目覚まし制御が開始された後、発光制御部４１は、現在時刻がブースト制御対象期間内であるか否かを判定する（Ｓ２４）。この判定は、現在時刻がブースト制御対象期間内になるまで（現在時刻が時刻ｔ４を過ぎるまで）行われる（Ｓ２４でＮｏ）。ブースト制御対象期間は、例えば、起床予定時刻ｔ２を終点とする３０分の期間であるが、ブースト制御対象期間の長さは特に限定されない。
【００８４】
ブースト制御は、ブースト制御対象期間内（時刻ｔ４以降）で、判定部４５によってユーザがレム睡眠状態以外の状態であると判定された最初の時刻（タイミング）に開始される。このため、現在時刻がブースト制御対象期間内であると判定された後（Ｓ２４でＹｅｓ）、判定部４５は、ユーザがレム睡眠状態以外の状態であるか否かを判定する（Ｓ２５）。この判定は、少なくとも、ユーザがレム睡眠状態以外の状態になるまで継続される（Ｓ２５でＮｏ）。なお、レム睡眠状態以外の状態には、覚醒状態とレム睡眠状態よりも深い睡眠状態（入眠状態、軽睡眠状態、中等度睡眠状態、及び深睡眠状態）とが含まれる。レム睡眠状態以外の状態は、図９では、Ｗ、Ｌ／Ｓ、及びＤ／Ｓの記号で示される状態である。
【００８５】
判定部４５によってユーザがレム睡眠状態以外の状態であると判定されると（Ｓ２５でＹｅｓ）、発光制御部４１は、ブースト制御を開始する（Ｓ２６）。図１１の例では、時刻ｔ５においてユーザがレム睡眠状態以外の状態（ユーザの睡眠状態が図１１の（ａ）でハッチングされた領域に属する状態）であると判定される。したがって、発光制御部４１は、時刻ｔ５に、所定の増光パターン（図１１の（ｂ）の破線）よりも急峻に発光部５０から出力される光を明るくするブースト制御を開始する。
【００８６】
以上説明したように、発光制御部４１（照明システム１００ａ）は、脳が暴走している状態であるレム睡眠状態を避けてブースト制御を開始する。これにより、ユーザを心地よく目覚めさせることができる。
【００８７】
［実施の形態２に係る目覚まし制御の第２例］
次に、実施の形態２に係る目覚まし制御の第２例について説明する。図１２は、実施の形態２に係る目覚まし制御の第２例のフローチャートである。図１３は、実施の形態２に係る目覚まし制御の第２例における、睡眠状態（図１３の（ａ））と発光部５０の明るさ（図１３の（ｂ））とを示す図である。以下の実施の形態２に係る目覚まし制御の第２例の説明においては、実施の形態２に係る目覚まし制御の第１例との相違点を中心に説明が行われる。
【００８８】
実施の形態２に係る目覚まし制御の第２例では、現在時刻がブースト制御対象期間内であると判定された後（Ｓ２４でＹｅｓ）、判定部４５は、ユーザがレム睡眠状態以外の所定状態であるか否かを判定する（Ｓ３１）。所定状態は、具体的には、覚醒状態、入眠状態、及び軽睡眠状態のいずれかの状態である。つまり、所定状態には、覚醒状態と、レム睡眠状態よりも深い睡眠状態であって中等度睡眠状態よりも浅い睡眠状態とが含まれる。この判定は、少なくとも、ユーザがレム睡眠状態以外の所定状態になるまで継続される（Ｓ３１でＮｏ）。
【００８９】
判定部４５によってユーザがレム睡眠状態以外の所定状態であると判定されると（Ｓ３１でＹｅｓ）、発光制御部４１は、ブースト制御を開始する（Ｓ２６）。図１３の例では、時刻ｔ５においてユーザがレム睡眠状態以外の所定状態（ユーザの睡眠状態が図１３の（ａ）でハッチングされた領域に属する状態）であると判定される。したがって、発光制御部４１は、時刻ｔ５に、所定の増光パターン（図１３の（ｂ）の破線）よりも急峻に発光部５０から出力される光を明るくするブースト制御を開始する。
【００９０】
以上説明したように、発光制御部４１（照明システム１００ａ）は、脳が暴走している状態であるレム睡眠状態、及び、睡眠が深すぎる状態（中等度睡眠状態及び深睡眠状態）を避けてブースト制御を開始する。これにより、ユーザを心地よく目覚めさせることができる。
【００９１】
［実施の形態２の効果等］
以上説明したように、実施の形態２に係る照明システム１００ａの発光制御部４１は、目覚まし制御において、所定の増光パターンにしたがって発光部５０から出力される光を時間の経過とともに明るくしているときに、所定の増光パターンよりも急峻に発光部５０から出力される光を明るくするブースト制御をさらに行う。
【００９２】
これにより、発光制御部４１（照明システム１００ａ）は、ユーザを目覚めさせる確実性を向上するができる。
【００９３】
また、発光制御装置４０ａは、さらに、ユーザの睡眠状態を判定する判定部４５を備えてもよい。発光制御部４１は、ユーザがレム睡眠状態以外の状態であると判定された時刻にブースト制御を開始してもよい。
【００９４】
これにより、脳が暴走している状態であるレム睡眠状態を避けてブースト制御が開始されるため、発光制御部４１（照明システム１００ａ）は、ユーザを心地よく目覚めさせることができる。
【００９５】
また、発光制御部４１は、ユーザが覚醒状態、入眠状態、及び軽睡眠状態のいずれかの状態であると判定された時刻にブースト制御を開始してもよい。
【００９６】
これにより、レム睡眠状態及び睡眠が深すぎる状態を避けてブースト制御が開始されるため、発光制御部４１（照明システム１００ａ）は、ユーザを心地よく目覚めさせることができる。
【００９７】
（実施の形態３）
ブースト制御の開始タイミングは、ユーザの睡眠状態の予測に基づいて決定されてもよい。以下、このようなブースト制御が可能な実施の形態３に係る照明システムの構成について説明する。図１４は、実施の形態３に係る照明システムの機能構成を示すブロック図である。なお、以下の実施の形態３の説明では、実施の形態１及び２との相違点を中心に説明が行われ、実施の形態１及び２で既に説明された事項については説明が省略または簡略化される。
【００９８】
図１４に示されるように、実施の形態３に係る照明システム１００ｂは、リモートコントローラ１０と、照明器具２０ｂと、ユーザ状態計測装置６０とを備える。
【００９９】
［照明器具：予測部］
照明器具２０ｂが備える発光制御装置４０ｂは、予測部４６を有する点が発光制御装置４０及び発光制御装置４０ａと異なる。
【０１００】
予測部４６は、通信部３０によって取得されたユーザ状態情報に基づいて、ユーザの睡眠状態（睡眠深度）の経時変化を予測する。予測部４６は、具体的には、ユーザの過去の睡眠状態の履歴を記憶部４４に蓄積し、蓄積された睡眠状態の履歴に基づいてユーザの睡眠状態の経時変化を予測する。
【０１０１】
予測部４６は、例えば、睡眠周期（睡眠状態のピークからピークまでの時間、睡眠サイクル）を予測する。予測部４６は、例えば、就寝時刻から起床予定時刻ｔ２までの就寝期間のうち、就寝時刻から所定時刻までの睡眠状態の実測値に基づいて、所定時刻から起床予定時刻ｔ２までの睡眠周期を予測する。つまり、予測部４６は、過去の睡眠状態に基づいて将来の睡眠周期を予測する。
【０１０２】
なお、後述のように、予測部４６は、少なくとも起床予定時刻ｔ２よりも一睡眠周期分前の時刻を予測できればよい。つまり、予測部４６は、一睡眠周期の長さを予測できればよい。一睡眠周期の長さは、例えば、過去の睡眠周期の平均値を算出する処理など、統計処理に基づいて予測される。なお、睡眠周期は、通常、６０分以上１２０分以下程度の長さとなる。
【０１０３】
予測部４６は、具体的には、マイクロコンピュータであるが、プロセッサまたは専用回路として実現されてもよい。予測部４６は、マイクロコンピュータ、プロセッサ、及び専用回路のうち２つ以上の組み合わせによって実現されてもよい。
【０１０４】
なお、睡眠周期の予測は、照明器具２０ｂ以外の他の機器によって行われてもよい。他他の機器は、例えば、クラウドサーバである。他の機器は、ユーザ状態計測装置６０から取得したユーザ状態情報に基づいて睡眠状態を予測し、睡眠状態の履歴を当該他の機器が備える記憶部に蓄積し、蓄積された睡眠状態の履歴に基づいてユーザの睡眠周期を予測する。
【０１０５】
この場合、照明器具２０ｂの発光制御装置４０ｂは、通信部３０を介して上記他の機器から睡眠周期を取得する。このため、発光制御装置４０ｂは、予測部４６を備えなくてよいし、発光制御装置４０ｂの記憶部４４には、睡眠状態の履歴が記憶されなくてよい。
【０１０６】
［実施の形態３に係る目覚まし制御の第１例］
次に、実施の形態３に係る目覚まし制御の第１例について説明する。図１５は、実施の形態３に係る目覚まし制御の第１例のフローチャートである。図１６は、実施の形態３に係る目覚まし制御の第１例における、睡眠状態（図１６の（ａ））と発光部５０の明るさ（図１６の（ｂ））とを示す図である。以下の実施の形態３に係る目覚まし制御の第１例の説明においては、実施の形態２に係る目覚まし制御との相違点を中心に説明が行われる。
【０１０７】
実施の形態２と同様に、通信部３０は、リモートコントローラ１０からユーザの起床予定時刻ｔ２の指示を取得し（Ｓ２１）、発光制御部４１は、現在時刻が開始時刻ｔ１であるか否かを判定する（Ｓ２２）。この判定は、例えば、現在時刻が開始時刻ｔ１になるまで継続される（Ｓ２２でＮｏ）。
【０１０８】
発光制御部４１は、現在時刻が開始時刻ｔ１になったと判定した場合（Ｓ２２でＹｅｓ）、目覚まし制御を開始する。具体的には、発光制御部４１は、所定の増光パターンにしたがって発光部５０を徐々に明るくする（Ｓ２３）。
【０１０９】
目覚まし制御が開始されると、発光制御部４１は、現在時刻が起床予定時刻ｔ２の一睡眠周期前の時刻ｔ６であるか否かを判定する（Ｓ４１）。この判定は、例えば、現在時刻が時刻ｔ６になるまで継続される（Ｓ４１でＮｏ）。
【０１１０】
発光制御部４１は、現在時刻が時刻ｔ６になったと判定した場合（Ｓ４１でＹｅｓ）、現在時刻がユーザの睡眠状態が境界状態になる時刻である時刻ｔ７であるか否かを判定する（Ｓ４２）。この判定は、例えば、現在時刻が時刻ｔ７になるまで継続される（Ｓ４２でＮｏ）。なお、時刻ｔ７は、時刻ｔ６以降起床予定時刻ｔ２までの期間に属する時刻である。言い換えれば、時刻ｔ７は、起床予定時刻を終点とする一睡眠周期に属する時刻である。時刻ｔ７は、時刻ｔ６以降における、判定部４５によって判定されたユーザの睡眠状態（実測値）に基づいて特定されるが、予測部４６の睡眠状態の予測に基づいて特定されてもよい。
【０１１１】
境界状態は、具体的には、レム睡眠状態とレム睡眠状態よりも深い睡眠状態（具体的には、入眠状態）との境界状態である。なお、ここでの境界状態は、厳密な境界状態ではなくレム睡眠状態と入眠状態の境界付近の状態であればよい。
【０１１２】
発光制御部４１は、現在時刻が時刻ｔ７であると判定すると（Ｓ４２でＹｅｓ）、発光制御部４１は、ブースト制御を開始する（Ｓ２６）。図１６に示されるように、発光制御部４１は、時刻ｔ７に、所定の増光パターン（図１６の（ｂ）の破線）よりも急峻に発光部５０から出力される光を明るくするブースト制御を開始する。
【０１１３】
以上説明したように、発光制御部４１（照明システム１００ｂ）は、脳の活動が比較的穏やかで、かつ、睡眠状態が比較的浅い状態であるレム睡眠状態と入眠状態との境界状態においてブースト制御を開始する。これにより、ユーザを心地よく目覚めさせることができる。
【０１１４】
なお、照明システム１００ｂは、スピーカ等の出音部を備え、発光部５０が発する光と出音部から出力される音（音声または音楽）とを連動させることにより、ユーザを心地よく目覚めさせてもよい。照明システム１００ｂは、映像を表示する表示部（例えば、表示パネル）、または、映像を投射する投射部（例えば、プロジェクタ）を備え、発光部５０が発する光と表示または投射される映像とを連動させることにより、ユーザを心地よく目覚めさせてもよい。
【０１１５】
［実施の形態３に係る目覚まし制御の第２例］
次に、実施の形態３に係る目覚まし制御の第２例について説明する。図１７は、実施の形態３に係る目覚まし制御の第２例のフローチャートである。図１８は、実施の形態３に係る目覚まし制御の第２例における、睡眠状態（図１８の（ａ））と発光部５０の明るさ（図１８の（ｂ））とを示す図である。また、以下の実施の形態３に係る目覚まし制御の第２例の説明においては、実施の形態３に係る目覚まし制御の第１例との相違点を中心に説明が行われる。
【０１１６】
実施の形態３に係る目覚まし制御の第２例において、発光制御部４１は、現在時刻が起床予定時刻ｔ２の一睡眠周期前の時刻ｔ６になったと判定した場合（Ｓ４１でＹｅｓ）、現在時刻がユーザの睡眠状態が浅くなっていく期間に属する時刻ｔ８であるか否かを判定する（Ｓ４３）。この判定は、例えば、現在時刻が時刻ｔ８になるまで継続される（Ｓ４３でＮｏ）。なお、時刻ｔ８は、起床予定時刻を終点とする一睡眠周期に属する時刻である。
【０１１７】
ユーザの睡眠状態が浅くなっていく期間は、図１８のように睡眠状態が浅いほど大きい値を取る場合には、睡眠状態が単調増加する期間である。このような睡眠状態が浅くなっていく期間は、時刻ｔ６以降の、判定部４５によって判定されたユーザの睡眠状態（実測値）に基づいて特定されるが、予測部４６の睡眠状態の予測に基づいて特定されてもよい。
【０１１８】
発光制御部４１は、現在時刻が時刻ｔ８であると判定すると（Ｓ４３でＹｅｓ）、発光制御部４１は、ブースト制御を開始する（Ｓ２６）。図１８に示されるように、発光制御部４１は、時刻ｔ８に、所定の増光パターン（図１８の（ｂ）の破線）よりも急峻に発光部５０から出力される光を明るくするブースト制御を開始する。
【０１１９】
以上説明したように、発光制御部４１（照明システム１００ｂ）は、ユーザの睡眠状態が浅くなっていく期間においてブースト制御が開始されることにより、ユーザを心地よく目覚めさせることができる。
【０１２０】
［実施の形態３の効果等］
以上説明したように、実施の形態３に係る照明システム１００ｂの発光制御装置４０ｂは、さらに、ユーザの睡眠周期を予測する予測部４６を備える。発光制御部４１は、予測部４６によって予測された、ユーザの起床予定時刻ｔ２を終点とする一睡眠周期に属する時刻にブースト制御を開始する。
【０１２１】
これにより、起床予定時刻ｔ２の直前の一睡眠周期に属する時刻においてブースト制御が開始されるため、発光制御部４１（照明システム１００ｂ）は、ユーザを心地よく目覚めさせることができる。
【０１２２】
また、発光制御部４１は、予測部４６によって予測された一睡眠周期に属する時刻であって、ユーザがレム睡眠状態とレム睡眠状態よりも深い睡眠状態との境界状態であると判定された時刻にブースト制御を開始してもよい。
【０１２３】
これにより、脳の活動が比較的穏やかで、かつ、睡眠状態が比較的浅い状態であるレム睡眠状態と入眠状態との境界状態においてブースト制御が開始されるため、発光制御部４１（照明システム１００ｂ）は、ユーザを心地よく目覚めさせることができる。
【０１２４】
また、発光制御部４１は、予測部４６によって予測された一睡眠周期に属する時刻であって、一睡眠周期内において睡眠状態が浅くなっていく期間に属すると判定された時刻にブースト制御を開始してもよい。
【０１２５】
これにより、ユーザの睡眠状態が浅くなっていく期間においてブースト制御が開始されるため、発光制御部４１（照明システム１００ｂ）は、ユーザを心地よく目覚めさせることができる。
【０１２６】
（その他の実施の形態）
以上、実施の形態について説明したが、本発明は、上記実施の形態に限定されるものではない。
【０１２７】
例えば、上記実施の形態において、一の構成要素が実行する処理は、他の構成要素によって実行されてもよい。また、複数の構成要素のそれぞれが実行する処理を一の構成要素がまとめて実行してもよい。例えば、上記実施の形態では、睡眠状態の判定は判定部によって行われ、睡眠周期の予測は、予測部によって行われたが、睡眠状態の判定、及び、睡眠周期の予測は、一の構成要素によって行われてもよい。
【０１２８】
また、照明器具が備える構成要素の配置は、適宜変更されてよい。例えば、照明器具が備える通信部は、発光制御装置に含まれてもよいし、発光制御装置が備える計時部、判定部、記憶部、調光回路などの構成要素は、発光制御装置の外部に配置されてもよい。発光制御装置は、少なくとも発光制御部を備えればよい。
【０１２９】
例えば、上記の実施の形態においては、発光部に用いられる発光素子としてＬＥＤ（またはＬＥＤ素子）が例示された。しかしながら、発光部には、半導体レーザ等の半導体発光素子、有機ＥＬ（Ｅｌｅｃｔｒｏ  Ｌｕｍｉｎｅｓｃｅｎｃｅ）素子、または、無機ＥＬ等素子等、その他の固体発光素子が用いられてもよい。
【０１３０】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、本発明の全般的または具体的な態様は、システム、装置、方法、集積回路、コンピュータプログラム及び記録媒体の任意な組み合わせで実現されてもよい。例えば、本発明は、上記実施の形態に係る照明システムとして実現されてもよい。本発明は、発光制御装置が実行する発光部の制御方法として実現されてもよいし、当該制御方法をコンピュータに実行させるためのプログラムとして実現されてもよいし、このようなプログラムが記憶された非一時的な記録媒体として実現されてもよい。
【０１３１】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１３２】
２０、２０ａ、２０ｂ  照明器具
４０、４０ａ、４０ｂ  発光制御装置
４１  発光制御部
４５  判定部
４６  予測部
５０  発光部
５１  第一光源部
５２  第二光源部
１００、１００ａ、１００ｂ  照明システム
【図１】
2018147598.tif 000003
【図２】
2018147598.tif 000004
【図３】
2018147598.tif 000005
【図４】
2018147598.tif 000006
【図５】
2018147598.tif 000007
【図６】
2018147598.tif 000008
【図７】
2018147598.tif 000009
【図８】
2018147598.tif 000010
【図９】
2018147598.tif 000011
【図１０】
2018147598.tif 000012
【図１１】
2018147598.tif 000013
【図１２】
2018147598.tif 000014
【図１３】
2018147598.tif 000015
【図１４】
2018147598.tif 000016
【図１５】
2018147598.tif 000017
【図１６】
2018147598.tif 000018
【図１７】
2018147598.tif 000019
【図１８】
2018147598.tif 000020